(57)【要約】【課題】アース処理端子上で露出する同軸ケーブルの内部導体が応力の作用によって痛むことを防止することができるケーブル接続構造を提供すること。【解決手段】同軸ケーブル１１の内部導体１５と一般電線２１の芯線２３とが加締め端子３１で圧着接続された同軸ケーブル１１及び一般電線２１を、アース処理端子１上に固定すると共に、同軸ケーブル１１の接地接続を行うケーブル接続構造において、アース処理端子１上で内部絶縁体１４から露出する内部絶縁体１４に撓みを持たせたことで、内部導体１５と芯線２３との接続部を覆う熱収縮チューブ３３や内部絶縁体１４の膨張・収縮を撓みの伸縮により許容して、内部導体１５に応力が作用することを抑止することができる。【選択図】図１
2010108739.tif 000002
【特許請求の範囲】
【請求項１】
直列状に並べられた同軸ケーブルの内部導体と一般電線の芯線とが加締め端子で電気的に圧着接続された前記同軸ケーブル及び前記一般電線を、接地構造物に結合される接地板部を備えた金属板製のアース処理端子上に固定すると共に、前記同軸ケーブルの編組を前記アース処理端子に接地接続するアース処理端子上でのケーブル接続構造であって、
前記加締め端子による接続部及びその周辺は、一端側が前記同軸ケーブルの端部に露出された編組の端部に被さると共に他端側が前記一般電線の端部の外被に被さる絶縁性の熱収縮チューブに収容されて絶縁処理され、
前記同軸ケーブルの前記アース処理端子への固定は、前記アース処理端子上の第１の被覆圧着部を前記同軸ケーブルの外被の上に加締め付けることで行われ、
前記一般電線の前記アース処理端子への固定は、前記第１の被覆圧着部から電線の長手方向に離れた前記アース処理端子上の第２の被覆圧着部を前記熱収縮チューブの上から前記一般電線の外被上に加締め付けることで行われ、
前記同軸ケーブルの前記アース処理端子への接地接続は、前記第１の被覆圧着部と前記第２の被覆圧着部との間に配置された前記アース処理端子上の編組圧着部を前記熱収縮チューブの一端側に露出している編組の上に加締め付けることにより行われ、
前記熱収縮チューブ内で前記加締め端子と前記同軸ケーブルの内部絶縁体の端部との間に露出する内部導体には、弛みを持たせたことを特徴とするアース処理端子上でのケーブル接続構造。
【請求項２】
前記熱収縮チューブ内で前記同軸ケーブルの内部導体に持たせる弛みは、前記内部導体と前記アース処理端子との間の離間距離が増える方向に突出する湾曲形状にされたことを特徴とする請求項１に記載のアース処理端子上でのケーブル接続構造。
【発明の詳細な説明】
【技術分野】
【０００１】
本発明は、例えば車載アンテナの装着部等に取り付けられるアース処理端子に、同軸ケーブルと一般電線とを固定すると共に、前記同軸ケーブルの編組を前記アース処理端子に接地接続するアース処理端子上でのケーブル接続構造に関する。
【背景技術】
【０００２】
図３は車両で使用されるアース処理端子上でのケーブル接続構造の従来例の分解斜視図、図４は図３に示した構造の組立状態における斜視図である。
【０００３】
図３及び図４に示したケーブル接続構造は下記特許文献１に開示されたもので、アース処理端子（アースプレートともいう。）１は、例えば、車両の車載アンテナの装着部等の不図示の接地構造物（例えば、車体フレーム）に結合される接地板部２を備えた金属板製の端子である。接地板部２には、接地構造物にねじ止めするための取付穴２ａが形成されている。
【０００４】
このアース処理端子１上に、前記車載アンテナの装着部等で使用される同軸ケーブル１１と一般電線（電源ケーブル）２１が固定される。
【０００５】
一般電線２１に接続する同軸ケーブル１１の端部は、予め外被１２、編組１３、内部絶縁体１４をそれぞれ所定の長さに渡って切除する端部処理がなされて、図３に示すように、編組１３が露出した部位、内部絶縁体１４が露出した部位、内部導体１５が露出した部位が形成される。
【０００６】
また、同軸ケーブル１１に接続する一般電線２１の端部は、予め外被２２を所定の長さに渡って切除する端部処理がなされて、図３に示すように芯線２３が所定長に渡って露出した部位が形成される。
【０００７】
同軸ケーブル１１の端部に露出した内部導体１５と、一般電線２１の端部に露出した芯線２３とは、直列状に並べられて加締め端子３１により圧着接続される。
【０００８】
また、加締め端子３１による接続部及びその周辺は、絶縁性の熱収縮チューブ３３を被せて絶縁処理する。
【０００９】
熱収縮チューブ３３は、図４に示すように、一端側が同軸ケーブル１１の端部に露出された編組１３の端部に被さると共に、他端側が一般電線２１の端部の外被２２に被さる長さが設定されている。
【００１０】
同軸ケーブル１１の端部に露出する編組１３の長さは、図４に示すように、先端部側が熱収縮チューブ３３に覆われるが、熱収縮チューブ３３の一端部と同軸ケーブル１１の外被１２との間に、一定長の露出部が残るように、設定されている。
【００１１】
熱収縮チューブ３３の一端側を編組１３の端部の上に被せるのは、編組１３の端部で編みが解けることを防止するためである。
【００１２】
接地板部２の一側の端縁には、図３に示すように、同軸ケーブル１１の外被１２に加締め付けることで同軸ケーブル１１を固定する第１の被覆圧着部４と、第１の被覆圧着部４から電線の長手方向に離れた位置に設けられて一般電線２１の外被２２の上に被さった熱収縮チューブ３３の上に加締め付けることで一般電線２１を固定する第２の被覆圧着部５と、第１の被覆圧着部４と第２の被覆圧着部５との間に配置された同軸ケーブル１１の露出している編組１３の上に加締め付けることで編組１３を接地板部２に接地接続する編組圧着部６とが、一体形成されている。
【００１３】
即ち、アース処理端子１上では、図４に示したように、同軸ケーブル１１の内部導体１５と一般電線２１の芯線２３とが加締め端子３１で導通接続された同軸ケーブル１１及び一般電線２１に対して、同軸ケーブル１１のアース処理端子１への固定は第１の被覆圧着部４を同軸ケーブル１１の外被１２の上に加締め付けることで行い、一般電線２１のアース処理端子１への固定は第２の被覆圧着部５を熱収縮チューブ３３の上から前記一般電線２１の外被２２上に加締め付けることで行っている。更に、同軸ケーブル１１のアース処理端子１への接地接続は、編組圧着部６を熱収縮チューブ３３の一端側に露出している編組１３の上に加締め付けることにより行っている。
【００１４】
【特許文献１】特開２００７−９５４８９号公報
【特許文献２】特開２００１−２２３０４０号公報
【発明の開示】
【発明が解決しようとする課題】
【００１５】
ところで、一般的に、同軸ケーブル１１の内部導体１５は、一般電線２１における芯線２３よりも細く、強度が低い。
【００１６】
そして、上記のケーブル接続構造では、図５のＡ部に示すように、強度の低い内部導体１５が露出状態になっているため、外気温の変動等に伴って内部絶縁体１４や熱収縮チューブ３３が膨張、収縮した際に、直に内部導体１５に引っ張り応力や圧縮応力が作用してしまい、内部導体１５が痛み易いという問題が生じた。
【００１７】
図５の矢印σ１，σ２は、内部絶縁体１４や熱収縮チューブ３３が収縮したときに内部導体１５の露出部に作用する引っ張り応力を示している。
【００１８】
本発明の目的は上記課題を解消することに係り、アース処理端子上で露出する同軸ケーブルの内部導体に応力が作用することを抑止し、応力の作用によって内部導体が痛むことを防止することができるアース処理端子上でのケーブル接続構造を提供することにある。
【課題を解決するための手段】
【００１９】
本発明の前述した目的は、下記の構成により達成される。
（１）  直列状に並べられた同軸ケーブルの内部導体と一般電線の芯線とが加締め端子で電気的に圧着接続された前記同軸ケーブル及び前記一般電線を、接地構造物に結合される接地板部を備えた金属板製のアース処理端子上に固定すると共に、前記同軸ケーブルの編組を前記アース処理端子に接地接続するアース処理端子上でのケーブル接続構造であって、
前記加締め端子による接続部及びその周辺は、一端側が前記同軸ケーブルの端部に露出された編組の端部に被さると共に他端側が前記一般電線の端部の外被に被さる絶縁性の熱収縮チューブに収容されて絶縁処理され、
前記同軸ケーブルの前記アース処理端子への固定は、前記アース処理端子上の第１の被覆圧着部を前記同軸ケーブルの外被の上に加締め付けることで行われ、
前記一般電線の前記アース処理端子への固定は、前記第１の被覆圧着部から電線の長手方向に離れた前記アース処理端子上の第２の被覆圧着部を前記熱収縮チューブの上から前記一般電線の外被上に加締め付けることで行われ、
前記同軸ケーブルの前記アース処理端子への接地接続は、前記第１の被覆圧着部と前記第２の被覆圧着部との間に配置された前記アース処理端子上の編組圧着部を前記熱収縮チューブの一端側に露出している編組の上に加締め付けることにより行われ、
前記熱収縮チューブ内で前記加締め端子と前記同軸ケーブルの内部絶縁体の端部との間に露出する内部導体には、弛みを持たせたことを特徴とするアース処理端子上でのケーブル接続構造。
【００２０】
（２）  前記熱収縮チューブ内で前記同軸ケーブルの内部導体に持たせる弛みは、前記内部導体と前記アース処理端子との間の離間距離が増える方向に突出する湾曲形状にされたことを特徴とする前記（１）に記載のアース処理端子上でのケーブル接続構造。
【００２１】
上記（１）の構成によれば、外気温の変動等に伴って内部絶縁体や熱収縮チューブが膨張、収縮する際には、熱収縮チューブ内に、アース処理端子上で内部絶縁体から露出する内部導体に弛みを持たせているから、その弛みが伸縮して、前記内部絶縁体や熱収縮チューブの変位を許容して、内部導体に応力が作用することを抑止することができる。従って、応力の作用によって内部導体が痛むことを防止することができる。
【００２２】
また、上記（２）の構成によれば、内部絶縁体や熱収縮チューブの変位に伴って内部導体の撓みが伸縮する場合でも、同軸ケーブルの編組が接地されたアース処理端子と内部導体との間の離間距離を基準の離間距離以上に維持でき、内部導体がアース処理端子に接近し過ぎてケーブル特性が低下することを防止することができる。
【発明の効果】
【００２３】
本発明によるアース処理端子上でのケーブル接続構造では、アース処理端子上で内部絶縁体から露出する内部導体には弛みを持たせているため、外気温の変動等に伴って内部絶縁体や熱収縮チューブが膨張、収縮する際には、内部導体に持たせた弛みが伸縮して、内部絶縁体や熱収縮チューブの変位を許容する。
【００２４】
従って、内部導体に応力が作用することを抑止することができ、応力の作用によって内部導体が痛むことを防止することができる。
【発明を実施するための最良の形態】
【００２５】
以下、本発明に係るアース処理端子上でのケーブル接続構造の好適な実施形態について、図面を参照して詳細に説明する。
図１は本発明に係るアース処理端子上でのケーブル接続構造の一実施形態の要部の構成説明図、図２は図１に示した同軸ケーブルの内部導体に撓みを形成する工程の説明図である。
【００２６】
この一実施形態のケーブル接続構造は、直列状に並べられた同軸ケーブル１１の内部導体１５と一般電線２１の芯線２３とが加締め端子３１で電気的に圧着接続された同軸ケーブル１１及び一般電線２１を、金属板製のアース処理端子１上に固定すると共に、同軸ケーブル１１の編組１３をアース処理端子１に接地接続するものである。
【００２７】
本実施形態で使用するアース処理端子１は、図３に示した構造のもので、例えば車両の車載アンテナの装着部等の接地構造物（例えば、車体フレーム）に結合される接地板部２を備えると共に、接地板部２の一側の端縁には、同軸ケーブル１１の外被１２に加締め付けることで同軸ケーブル１１を固定する第１の被覆圧着部４と、第１の被覆圧着部４から電線の長手方向に離れた位置に配置されて一般電線２１の外被２２の上に被さった熱収縮チューブ３３の上に加締め付けることで一般電線２１を固定する第２の被覆圧着部５と、第１の被覆圧着部４と前記第２の被覆圧着部５との間に配置されて同軸ケーブル１１の露出している編組１３の上に加締め付けることで編組１３を接地板部２に接地接続する編組圧着部６とが、一体形成されている。
【００２８】
一般電線２１に接続する同軸ケーブル１１の端部は、予め外被１２、編組１３、内部絶縁体１４をそれぞれ所定の長さに渡って切除する端部処理がなされて、図２（ａ）に示すように、編組１３が露出した部位、内部絶縁体１４が露出した部位、内部導体１５が露出した部位が形成される。そして、更に、内部絶縁体１４から露出した内部導体１５の内部絶縁体１４寄りの位置には、後述する撓み４１Ａとなる湾曲形状４１が形成される。
【００２９】
また、同軸ケーブル１１に接続する一般電線２１の端部は、予め外被２２を所定の長さに渡って切除する端部処理がなされて、図３に示すように芯線２３が所定長に渡って露出した部位が形成される。
【００３０】
同軸ケーブル１１の端部に露出した内部導体１５と、一般電線２１の端部に露出した芯線２３とは、先端部同士を突き合わせる又は先端部同士を重ねて、加締め端子３１により圧着接続される。
【００３１】
また、加締め端子３１による接続部及びその周辺は、絶縁性の熱収縮チューブ３３を被せて絶縁処理される。
【００３２】
熱収縮チューブ３３は、図１に示すように、一端側が同軸ケーブル１１の端部に露出された編組１３の端部に被さると共に、他端側が一般電線２１の端部の外被２２に被さる長さに設定されている。
【００３３】
同軸ケーブル１１の端部に露出する編組１３の長さは、図１に示すように、先端部側が熱収縮チューブ３３に覆われるが、熱収縮チューブ３３の一端部と同軸ケーブル１１の外被１２との間に、一定長の露出部が残るように、設定されている。
【００３４】
熱収縮チューブ３３の一端側を編組１３の端部の上に被せるのは、編組１３の端部で編みが解けることを防止するためである。
【００３５】
本実施形態の場合も、同軸ケーブル１１のアース処理端子１への固定は、前記アース処理端子１上の第１の被覆圧着部４を前記同軸ケーブル１１の外被１２の上に加締め付けることで行っている。また、一般電線２１のアース処理端子１への固定は、アース処理端子１上の第２の被覆圧着部５を熱収縮チューブ３３の上から一般電線２１の外被２２上に加締め付けることで行っている。更に、同軸ケーブル１１のアース処理端子１への接地接続は、アース処理端子１上の編組圧着部６を熱収縮チューブ３３の一端側に露出している編組１３の上に加締め付けることにより行っている。
【００３６】
そして、本実施形態では、図１のＢ部に示したように、熱収縮チューブ３３内で加締め端子３１と同軸ケーブル１１の内部絶縁体１４の端部との間に露出する内部導体１５には、図２（ｂ）に示した湾曲形状４１を利用して、撓み４１Ａを持たせている。
【００３７】
また、図１において、寸法Ｌは、編組圧着部６による圧着によりアース処理端子１に固定された同軸ケーブル１１の内部導体１５の中心からアース処理端子１の表面１ａまでの離間距離を示している。上記の撓み４１Ａは、内部導体１５とアース処理端子１との間の離間距離が、前記寸法Ｌよりも増える方向（即ち、図１において、アース処理端子１の表面１ａから離れる矢印Ｃ方向）に突出する湾曲形状で、アース処理端子１上に保持されている。
【００３８】
以上に説明した一実施形態のケーブル接続構造では、外気温の変動等に伴って内部絶縁体１４や熱収縮チューブ３３が膨張、収縮する際には、アース処理端子１上で内部絶縁体１４から露出する内部導体１５に持たせた撓み４１Ａが伸縮して、内部絶縁体１４や熱収縮チューブ３３の変位を許容して、内部導体１５に応力が作用することを抑止することができる。従って、応力の作用によって内部導体１５が痛むことを防止することができる。
【００３９】
なお、図１では、内部絶縁体１４や熱収縮チューブ３３の収縮に伴って、撓み４１Ａが伸長する方向を、矢印Ｄで示している。
【００４０】
また、上記の一実施形態では、内部導体１５に付与した撓み４１Ａが、アース処理端子１との間の離間距離が増える方向の湾曲形状になっているため、内部絶縁体１４や熱収縮チューブ３３の変位に伴って内部導体１５の撓みが伸縮する場合でも、同軸ケーブル１１の編組１３が接地されたアース処理端子１と内部導体１５との間の離間距離を基準の離間距離Ｌ（図１参照）以上に維持でき、内部導体１５がアース処理端子１に接近し過ぎてケーブル特性が低下することを防止することができる。
【００４１】
なお、本発明は、上述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。
【図面の簡単な説明】
【００４２】
【図１】本発明に係るアース処理端子上でのケーブル接続構造の一実施形態の要部の構成説明図である。
【図２】図１に示した同軸ケーブルの内部導体に撓みを形成する工程の説明図である。
【図３】従来のアース処理端子上でのケーブル接続構造の分解斜視図である。
【図４】従来のアース処理端子上でのケーブル接続構造の組立状態の斜視図である。
【図５】従来のアース処理端子上でのケーブル接続構造における要部の拡大図である。
【符号の説明】
【００４３】
１  アース処理端子
１ａ  表面
２  接地板部
４  第１の被覆圧着部
５  第２の被覆圧着部
６  編組圧着部
１１  同軸ケーブル
１２  外被
１３  編組
１４  内部絶縁体
１５  内部導体
２１  一般電線
２２  外被
２３  芯線
３１  加締め端子
３３  熱収縮チューブ
４１  湾曲形状
４１Ａ  撓み
【図１】
2010108739.tif 000003
【図２】
2010108739.tif 000004
【図３】
2010108739.tif 000005
【図４】
2010108739.tif 000006
【図５】
2010108739.tif 000007